(57)【要約】【課題】要介護者等にとって負担なく局部を良好に洗浄できるポータブルトイレを提供する。【解決手段】ポータブルトイレは、汚物を収容する容器１２が形成された便器部１０と、便器部１０上に設けられ、容器１２の上方に位置する開口３２が形成された便座３０と、開口３２の左斜め上および右斜め上に配置された左右の肘掛け５０、５１と、局部洗浄装置とを備えている。前記局部洗浄装置は、噴射口が形成された洗浄ノズルと、洗浄ノズルを進退させる洗浄ノズル駆動機構と、を有している。便座３０の開口３２は、円弧状の前縁と、円弧状の後縁と、前記前縁の後端と前記後縁の前端とをつなぐ直線状の中間縁または前記直線よりも前記便座の左右の中央側に膨出した中間縁と、によって形成されている。【選択図】図１
2014000107.tif 000002
【特許請求の範囲】
【請求項１】
汚物を収容する容器が形成された便器部と、
前記便器部上に設けられ、前記容器の上方に位置する開口が形成された便座と、
前記便座の前記開口の左斜め上および右斜め上に配置された左右の肘掛けと、
水を噴射する噴射口が形成された洗浄ノズルと、少なくとも前記噴射口が前記便座の前記開口の下方に位置する噴射位置と前記噴射位置よりも後方の退避位置との間で前記洗浄ノズルを進退させる洗浄ノズル駆動機構と、を有する局部洗浄装置と、を備え、
前記便座の前記開口は、円弧状の前縁と、円弧状の後縁と、前記前縁の後端と前記後縁の前端とをつなぐ直線状の中間縁または前記直線よりも前記便座の左右の中央側に膨出した中間縁と、によって形成されている、ポータブルトイレ。
【請求項２】
前記洗浄ノズル駆動機構は、前記洗浄ノズルの前記噴射口の噴射位置が左右に変更可能なように前記洗浄ノズルを駆動するように構成されている、請求項１に記載のポータブルトイレ。
【請求項３】
前記洗浄ノズル駆動機構は、前記洗浄ノズルの前記噴射口の噴射位置が左右にスライド可能なように前記洗浄ノズルを駆動するように構成されている、請求項２に記載のポータブルトイレ。
【請求項４】
前記洗浄ノズルは、前記便座の上方から見て前方に延びるように配置され、
前記洗浄ノズル駆動機構は、前記洗浄ノズルを前記洗浄ノズルの軸心まわりに回転させるように構成されている、請求項２に記載のポータブルトイレ。
【請求項５】
前記洗浄ノズル駆動機構は、前記洗浄ノズルの前記噴射口の噴射位置が左右方向に２ｃｍ以内の範囲で変更可能なように構成されている、請求項２〜４のいずれか一つに記載のポータブルトイレ。
【請求項６】
前記便座の前記開口の左右の最大間隔は１８ｃｍ〜２１ｃｍである、請求項１〜５のいずれか一つに記載のポータブルトイレ。
【請求項７】
前記左右の肘掛けの左右の最大間隔は３８ｃｍ〜５０ｃｍである、請求項１〜６のいずれか一つに記載のポータブルトイレ。
【請求項８】
前記洗浄ノズル駆動機構は、前記洗浄ノズルの前記噴射口の噴射位置が前後に変更可能なように前記洗浄ノズルを駆動するように構成されている、請求項１〜７のいずれか一つに記載のポータブルトイレ。
【請求項９】
前記便座の前記開口の前記中間縁の両側部分は、前記便座の左右の中央側に行くほど下方に向かうように傾斜している、請求項１〜８のいずれか一つに記載のポータブルトイレ。
【請求項１０】
前記便座の前記開口の後方に配置された背もたれを備えている、請求項１〜９のいずれか一つに記載のポータブルトイレ。
【請求項１１】
前記便座の前記開口の後側部分に、または、前記便座の後方に設けられた他の便座に、使用者の臀部を支持する凹部が形成されている、請求項１〜１０のいずれか一つに記載のポータブルトイレ。
【発明の詳細な説明】
【技術分野】
【０００１】
本発明は、ポータブルトイレに関する。
【背景技術】
【０００２】
従来から、主に高齢者および身障者等のいわゆる要介護者によって使用され介護に好適なポータブルトイレが知られている。ポータブルトイレに対しては、使用者の排泄中の負担を軽減することや、使用者や介護者の排泄後の処理の負担を軽減するべく、様々な機能が提案されている。
【０００３】
例えば、特許文献１では、排泄後に肛門等（以下、局部ともいう）を清潔にするために、洗浄水を噴射するノズル（以下、洗浄ノズルという）を有する局部洗浄装置を設けることが提案されている。
【先行技術文献】
【特許文献】
【０００４】
【特許文献１】特開２０１１−１５６１４０号公報
【発明の概要】
【発明が解決しようとする課題】
【０００５】
しかしながら、洗浄ノズルは局部的に水を噴射するものであるので、使用者が適正な位置に座っていない場合、洗浄ノズルから噴射された水を局部に適切に当てることができない虞がある。
【０００６】
その場合、例えば、足腰が丈夫な人ならば、洗浄中にお尻をずらし、適正な位置に直ちに座り直すことによって局部の位置を変更し、洗浄ノズルから噴射された水を局部に適切に当てることができるかもしれない。しかし、高齢者および身障者等の要介護者は、洗浄中に上記のような動作を行うことが困難である可能性がある。そのため、洗浄ノズルから噴出された水を不適切な部位に当て続け、良好な局部の洗浄ができない虞がある。
【０００７】
本発明はかかる点に鑑みてなされたものであり、その目的は、要介護者等にとって負担なく局部を良好に洗浄できるポータブルトイレを提供することである。
【課題を解決するための手段】
【０００８】
本発明に係るポータブルトイレは、汚物を収容する容器が形成された便器部と、前記便器部上に設けられ、前記容器の上方に位置する開口が形成された便座と、前記便座の前記開口の左斜め上および右斜め上に配置された左右の肘掛けと、局部洗浄装置とを備えている。前記局部洗浄装置は、水を噴射する噴射口が形成された洗浄ノズルと、少なくとも前記噴射口が前記便座の前記開口の下方に位置する噴射位置と前記噴射位置よりも後方の退避位置との間で前記洗浄ノズルを進退させる洗浄ノズル駆動機構とを有する。そして、前記便座の前記開口は、円弧状の前縁と、円弧状の後縁と、前記前縁の後端と前記後縁の前端とをつなぐ直線状の中間縁または前記直線よりも前記便座の左右の中央側に膨出した中間縁と、によって形成されている。
【０００９】
上記構成のポータブルトイレによると、便座の開口の中間縁は、前縁の後端と後縁の前端とをつなぐ直線状に形成され、あるいはその直線よりも中央側に膨出しているので、使用者が不適切な位置に座ると、座骨結節に対する負荷が大きくなる。よって、不適切な位置に座ると、適切な位置に座る場合に比べて不快となる。そのため、適切な位置に座り直すことが促され、使用者は用便前に適切な位置に座り直すことになる。その結果、用便後に局部洗浄装置を用いる際、洗浄に適した位置に局部が位置することになる。したがって、洗浄中に座り直す必要がなく、使用者が要介護者等であっても、負担なく局部を良好に洗浄できるようになる。
【００１０】
また、ここで開示されるポータブルトイレの一態様では、前記洗浄ノズル駆動機構は、前記洗浄ノズルの前記噴射口の噴射位置が左右に変更可能なように前記洗浄ノズルを駆動するように構成されている。
【００１１】
このことによって、使用者が適切な位置から左右に若干ずれた位置に座ったとしても、噴射口の噴射位置を変更することにより、洗浄ノズルから噴射された水を局部に確実に当てることができ、局部を良好に洗浄することができる。また、個人差により、使用者は適切な位置から左右に若干ずれた位置に座った方が楽な場合もあり得る。そのような場合、噴射位置をその使用者に応じた位置に変更することにより、局部の良好な洗浄が可能となる。
【００１２】
また、ここで開示されるポータブルトイレの他の一態様では、前記洗浄ノズル駆動機構は、前記洗浄ノズルの前記噴射口の噴射位置が左右にスライド可能なように前記洗浄ノズルを駆動するように構成されている。
【００１３】
このことによって、噴射位置を左右に変更しても、左右にスライドするように洗浄ノズルが駆動するのみのため、噴射位置の前後の位置は変更されない。そのため、局部に対する噴射位置の調整が容易となる。
【００１４】
また、ここで開示されるポータブルトイレの他の一態様では、前記洗浄ノズルは、前記便座の上方から見て前方に延びるように配置され、前記洗浄ノズル駆動機構は、前記洗浄ノズルを前記洗浄ノズルの軸心まわりに回転させるように構成されている。
【００１５】
このことによって、噴射位置を左右に変更しても、洗浄ノズルが洗浄ノズルの軸心まわりに回転するのみのため、噴射位置の前後の位置は変更されない。そのため、局部に対する噴射位置の調整が容易となる。
【００１６】
また、ここで開示されるポータブルトイレの他の一態様では、前記洗浄ノズル駆動機構は、前記洗浄ノズルの前記噴射口の噴射位置が左右方向に２ｃｍ以内の範囲で変更可能なように構成されている。
【００１７】
前述した便座の開口の形状によって、使用者は適切な位置に座るように誘導される。そのため、噴射位置の変更可能範囲を大きくしなくても足りる。その結果、洗浄ノズル駆動機構の大型化やコストアップを抑えることができる。また、噴射位置の変更可能範囲を上記範囲内にすることで、洗浄ノズルから噴射された水がお尻の左右外側の部分に当たり、噴射された水がお尻の外側部分から跳ね返って飛び散ることを低減することができる。
【００１８】
また、ここで開示されるポータブルトイレの他の一態様では、前記便座の前記開口の左右の最大間隔は１８ｃｍ〜２１ｃｍである。
【００１９】
このことによって、座骨結節が適切に開くため排泄が容易となり、かつ、お尻が開口内に大きく落ち込むことが防止される。また、お尻が便座の左側または右側に偏りにくくなり、便座の開口の形状によって局部を適切な位置に誘導しやすくなる。
【００２０】
また、ここで開示されるポータブルトイレの他の一態様では、前記左右の肘掛けの左右の最大間隔は３８ｃｍ〜５０ｃｍである。
【００２１】
左右の肘掛けの左右の最大間隔を上記範囲内にすることによって、肘掛けに肘を置くことにより、体が中央に位置するように使用者は誘導される。その結果、使用者は適切な位置に座ることを誘導され、洗浄に適した位置に局部が位置しやすくなる。
【００２２】
また、ここで開示されるポータブルトイレの他の一態様では、前記洗浄ノズル駆動機構は、前記洗浄ノズルの前記噴射口の噴射位置が前後に変更可能なように前記洗浄ノズルを駆動するように構成されている。
【００２３】
このことによって、使用者が適切な位置から前後に若干ずれた位置に座ったとしても、噴射口の噴射位置を変更することにより、洗浄ノズルから噴射された水を局部に確実に当てることができ、局部を良好に洗浄することができる。また、個人差により、使用者は適切な位置から前後に若干ずれた位置に座った方が楽な場合もあり得る。そのような場合、噴射位置をその使用者に応じた位置に変更することにより、局部の良好な洗浄が可能となる。
【００２４】
また、ここで開示されるポータブルトイレの他の一態様では、前記便座の前記開口の前記中間縁の両側部分は、前記便座の左右の中央側に行くほど下方に向かうように傾斜している。
【００２５】
このことによって、使用者の座る位置を適切な位置（中央の位置）により誘導しやすくなる。
【００２６】
また、ここで開示されるポータブルトイレの他の一態様では、前記便座の前記開口の後方に配置された背もたれを備えている。
【００２７】
このことによって、使用者が背もたれにもたれることにより、使用者の前後位置が適切な位置に保たれる。その結果、使用者の座る位置を適切な位置により誘導しやすくなる。
【００２８】
また、ここで開示されるポータブルトイレの他の一態様では、前記便座の前記開口の後側部分に、または、前記便座の後方に設けられた他の便座に、使用者の臀部を支持する凹部が形成されている。
【００２９】
このことによって、臀部が凹部上に位置するように座ることにより、使用者の位置が適切な位置に保たれる。その結果、使用者の座る位置を適切な位置により誘導しやすくなる。
【発明の効果】
【００３０】
本発明によれば、要介護者等にとって負担なく局部を良好に洗浄できるポータブルトイレを提供することができる。
【図面の簡単な説明】
【００３１】
【図１】第１実施形態に係るポータブルトイレの前方斜視図である。
【図２】第１実施形態に係るポータブルトイレの左側面図である。
【図３】第１実施形態に係る便座等の平面図である。
【図４】第１実施形態に係る便座の左側面図である。
【図５】図３における便座のＶ−Ｖ線断面図であり、便座と座骨結節との関係を表した図である。
【図６】図２のＶＩ部分の拡大図であり、噴射位置にある洗浄ノズルの位置を表す図である。
【図７】噴射位置にある洗浄ノズルの平面図である。
【図８】第１実施形態に係る遠隔操作部を表す図である。
【図９】第１実施形態に係る制御部の構成を示すブロック図である。
【図１０】第１実施形態に係る洗浄ノズルの噴射口の噴射位置を模式的に示した図である。
【図１１】第２実施形態に係るポータブルトイレの便座と洗浄ノズルとの関係を模式的に示した図である。
【図１２】他の実施形態に係る便座の平面図である。
【図１３】洗浄ノズル駆動機構の連続洗浄機能の一例を模式的に示した図である。
【発明を実施するための形態】
【００３２】
以下、本発明の好適な実施形態について説明する。なお、本明細書において特に言及している事項以外の事柄であって本発明の実施に必要な事柄は、該分野における従来技術に基づく当業者の設計事項として把握され得る。本発明は、本明細書に開示されている内容と該分野における技術常識とに基づいて実施することができる。
【００３３】
＜第１実施形態＞
以下、図面を参照しながら、本発明に係るポータブルトイレの第１実施形態について説明する。図１は、本実施形態に係るポータブルトイレ１Ａの前方斜視図である。図２は、本実施形態に係るポータブルトイレ１Ａの左側面図である。
【００３４】
本実施形態に係るポータブルトイレ１Ａは、主に高齢者および身障者等のいわゆる要介護者に使用されるものであり、介護用に好適に使用されるトイレである。また、ポータブルトイレ１Ａは、床に固定されるトイレではなく、移動可能式のトイレである。
【００３５】
図１に示すように、本実施形態に係るポータブルトイレ１Ａは、主として本体部５および便器部１０から構成されている。本体部５は、開口３２が形成された便座３０、後述する制御部１００（図９参照）等を収容する本体収容部７（図２参照）、背もたれ７０、および肘掛け５０、５１等の外部構成と、制御部１００等の内部構成とを含む。便器部１０は、本体収容部７の前方に位置し、主として汚物を収容する容器１２および容器１２を収容する容器受部６から構成されている。なお、本明細書では、前、後、左、右とは、便座３０に座った使用者から見た前、後、左、右をそれぞれ意味するものとする。図面に付した符号Ｆ、Ｒｅ、Ｌ、Ｒは、それぞれ前、後、左、右を表す。
【００３６】
本体収容部７の内部には、制御部１００、排泄物の臭いを逃がすための脱臭ユニット１２０（図９参照）、脱臭ダクトおよび脱臭吸気口、使用者のお尻を乾燥させるための乾燥ユニット１２２（図９参照）、乾燥ダクトおよび乾燥吸気口、後述する洗浄ノズル２０（図６参照）の噴射口２２（図６参照）から噴射される水の温度を調整するための温水器ユニット１２６（図９参照）等が備えられている。また、本体収容部７の右側面には、コンセント１３０（図３参照）に接続された電源コード１３０Ａ（図３参照）が接続されている。コンセント１３０を電源につなぐことにより、ポータブルトイレ１Ａに電力が供給される。
【００３７】
図１に示すように、容器受部６の左側および右側には、フレーム７７がそれぞれ取り付けられている。詳しくは、フレーム７７は、容器受部６の左側面および右側面にそれぞれ固定されている。そして、左右のフレーム７７の上部に背もたれ７０が取り付けられている。すなわち、容器受部６の上方に、背もたれ７０が配置されている。背もたれ７０は、便座３０の開口３２の後方に配置されている。
【００３８】
フレーム７７の下面には、本体部５および便器部１０を支える脚部７１が連結されている。脚部７１は、左右のフレーム７７の下面にそれぞれ取り付けられている。ただし、脚部７１の取り付け位置、形状または個数等は特に限定されず、例えば脚部７１は４個であってもよいし、脚部７１は容器受部６の下面に取り付けられていてもよい。左右の脚部７１の後部には、それぞれキャスター７２が取り付けられている。キャスター７２は、ポータブルトイレ１Ａを移動する際に使用される。ポータブルトイレ１Ａの前部を持ち上げる等によってポータブルトイレ１Ａを前上がり状に傾倒させ、キャスター７２を床面に接触させることにより、キャスター７２を床面上で転がすことができる。ポータブルトイレ１Ａを床面上で滑らせることによって、ポータブルトイレ１Ａが容易に移動可能となる。キャスター７２の取り付け位置または個数等も本発明を特に限定するものではなく、例えば、左右の脚部７１の前部および後部にそれぞれキャスター７２を取り付けてもよい。また、キャスター７２は必ずしも必要ではなく、省略することも可能である。
【００３９】
肘掛け５０および５１は、便座３０の開口３２の右斜め上および左斜め上に配置されている。詳しくは、肘掛け５０は、便座３０の右端部よりも右側、すなわち、便座３０の右端部の右斜め上に配置されている。肘掛け５１は、便座３０の左端部よりも左側、すなわち、便座３０の左端部よりも左斜め上に配置されている。肘掛け５０および５１の形状は特に限定されないが、本実施形態では略平板形状である。左右の肘掛け５０および５１の後部は、それぞれはねあげ機構５３を介してフレーム７７に取り付けられている。左右の肘掛け５０および５１の下面の前部には、それぞれレバー５２が取り付けられている。レバー５２は、肘掛け５０および５１のロックを解除し、はねあげを許容するものである。レバー５２を押すことによって、肘掛け５０および５１ははねあげ機構５３によって回転可能となり、肘掛け５０および５１の前面が上方またはほぼ上方を向く位置まで回転可能となる。言い換えると、肘掛け５０および５１は、レバー５２を押すことによって、ポータブルトイレ１Ａの左側面からみて時計回りに約９０度まで回転可能となる。また、はねあげ機構５３は、フレーム７７に対して上下方向に移動可能である。言い換えると、肘掛け５０および５１は、フレーム７７に対して上下方向に移動可能である。肘掛け５０および５１の内寸の最大間隔Ｌ５、すなわち、肘掛け５０の左側面から肘掛け５１の右側面までの最大間隔Ｌ５は、例えば３８ｃｍ〜５０ｃｍである。本実施形態では、肘掛け５０および５１の内側の側面は鉛直面であり、肘掛け５０の左側面と肘掛け５１の右側面との間隔は、前後の位置によって変わることはない。ただし、肘掛け５０および５１の形状によっては、前後の位置によって上記間隔が異なる場合があり得る。「最大間隔Ｌ５」は、前後の位置によって上記間隔が異なる場合、それらのうちの最大の間隔を意味する。
【００４０】
また、容器受部６の上側には、座部７４が取り付けられている。座部７４は、使用者が腰掛けて座るための部材である。座部７４は、便座３０および容器１２の上方に位置するとき、使用者は座部７４の上に腰掛けて座ることができる。また、図２に示すように、座部７４は、前方部７５および後方部７６から構成されており、前方部７５および後方部７６は、図示しないヒンジ部材で山折りになるように連結されている。座部７４を使用しないとき、図２に示すように座部７４を折り畳むことができる。
【００４１】
図２に示すように、容器１２は、汚物を収容する容器である。容器１２は、容器受部６内に収容されている。容器１２の形状は、上方が開口しており、汚物を収容できれば特に限定されない。本実施形態に係る容器１２は、略円筒状の有底の容器、すなわち、るつぼ状の容器である。ポータブルトイレ１Ａを使用しないとき、容器１２の上側には、容器１２内の臭いを外部に逃さないための図示しない蓋が配置されている。
【００４２】
次に、本実施形態に係る便座３０について詳細に説明する。図３は、便座３０の平面図である。図４は、便座３０の左側面図である。図５は、図３における便座３０のＶ−Ｖ線断面図であり、便座３０と座骨結節１５０との関係を表した図である。
【００４３】
便座３０は、便器部１０上に設けられている。言い換えると、便座３０は、容器１２の上方に位置する。図３に示すように、便座３０の後方には他の便座４０が配置されている。便座３０は、回転軸１１を介して他の便座４０に回転自在に取り付けられている。回転軸１１は左右に延びている。便座３０は、回転軸１１を中心として回転可能であり、回転することによって跳ね上げられる。便座３０には、使用者が便座３０に座っているかどうかを判別するための着座センサ１１０（図９参照）を内蔵させてもよい。また、便座３０は、使用者のお尻を暖めるための保温ユニット１２４（図９参照）を備えていてもよい。他の便座４０は、本体収容部７の上部に固定されている。他の便座４０の前部の中央には、凹部４１が形成されている。凹部４１は、使用者の臀部を支持するための部位である。凹部４１は後方に凹んでおり、また、円弧状に凹んでいる。
【００４４】
便座３０の左右の縁は直線状である。便座３０の前縁は、前方に膨らむ曲線状である。開口３２は、便座３０の左右の中央かつ前後の中央に形成されている。
【００４５】
開口３２は、前縁３３と後縁３４と中間縁３５とから形成されている。前縁３３および後縁３４の形状は、円弧状である。前縁３３は、前方に向かって凹む曲線状に形成されている。前縁３３の左右方向の間隔は、後方に行くほど大きくなっている。後縁３４は、後方に向かって凹む曲線状に形成されている。後縁３４の左右方向の間隔は、前方に行くほど大きくなっている。後縁３４の左右方向の最大間隔は、前縁３３の左右方向の最大間隔より大きい。前縁３３の曲率半径Ｒ１は、例えば３ｃｍ〜５ｃｍである。後縁３４の曲率半径Ｒ２は、例えば９ｃｍ〜１０ｃｍである。そして、前縁３３の後端３３ｂと後縁３４の前端３４ｆとは、中間縁３５によってつながっている。本実施形態では、中間縁３５は直線状である。中間縁３５は、前方に行くほど中央側に向かうように傾斜している。後縁３４の左右の最大間隔Ｌ１が開口３２の左右の最大間隔となっている。開口３２の左右の最大間隔Ｌ１は、例えば１８ｃｍ〜２１ｃｍである。最大間隔Ｌ１の上記範囲は、図５に示すように、座骨結節１５０（なお、座骨結節の幅Ｗは、通常、７ｃｍ〜１４ｃｍである。）が開口３２内に収まることができるように設定されている。また、最大間隔Ｌ１の上記範囲は、座骨結節１５０が適切に開き、かつ、お尻１６０が大きく落ち込まないように設定されている。開口３２の前後方向の長さＬ２、すなわち、後縁３４の後端から前縁３３の前端までの長さＬ２は、例えば２８ｃｍ〜３２ｃｍである。後縁３４の前端３４ｆから前縁３３の前端までの長さ（言い換えると、中間縁３５および前縁３３の合計の前後方向長さ）Ｌ３は、例えば１９ｃｍ〜２１ｃｍである。なお、使用者がお尻を容易に拭くことができるように、便座３０の開口３２の後方中央部分、すなわち、後縁３４の後方中央部分の一部に、凹部３６を設けてもよい。
【００４６】
図５に示すように、便座３０の上面３０ａは、便座３０の左右の中央側に行くほど下方に向かうように傾斜している。便座３０の中間縁３５の外側部分は、便座３０の左右の中央側に行くほど下方に向かうように傾斜している。便座３０の下面３０ｂの形状は、特に限定するものではないが、水平な平面である。
【００４７】
図６は、図２のＶＩ部分の拡大図であり、洗浄ノズル２０が噴射位置にある状態を表す図である。図７は、噴射位置にある洗浄ノズル２０を上方から見た図である。
【００４８】
図６に示すように、局部洗浄装置１８は、噴射口２２が形成された洗浄ノズル２０と、洗浄ノズル駆動機構１９（図９参照）とを有している。洗浄ノズル駆動機構１９には、周知の各種機構を用いることができる。洗浄ノズル駆動機構１９の構成は周知であるので、その説明は省略する。局部洗浄装置１８の使用時、洗浄ノズル２０は、開口３２の下方に位置する。言い換えると、洗浄ノズル２０は、局部洗浄装置１８の使用時、容器１２内に位置する。洗浄ノズル２０は、開口３２の後縁３４の左右方向の中心に位置する。洗浄ノズル２０の後端部は本体収容部７の前部に取り付けられている。洗浄ノズル２０は、本体収容部７に対して、前方斜め下に延びるようにして取り付けられている。噴射口２２は、洗浄ノズル２０の前端部の上部に形成されている。噴射口２２は、局部へ水を噴射するものである。本実施形態では、噴射口２２は１つ設けられているが、噴射口２２は複数あってもよい。また、洗浄ノズル駆動機構１９によって、洗浄ノズル２０は前後方向または左右方向に移動可能となる。
【００４９】
洗浄ノズル駆動機構１９は、噴射口２２の噴射位置が前後に変更可能なように洗浄ノズル２０を駆動するように構成されている。具体的には、洗浄ノズル駆動機構１９は、洗浄ノズル２０をＡ方向に移動させる。洗浄ノズル駆動機構１９は、少なくとも噴射位置Ａ１と退避位置Ａ２との間で洗浄ノズル２０を進退させる。噴射位置Ａ１は、便座３０の開口３２の下方に位置する。退避位置Ａ２は、噴射位置Ａ１よりも後方に位置する。洗浄ノズル２０の待機時、すなわち、洗浄ノズル２０を使用していないときには、洗浄ノズル２０は退避位置Ａ２に位置する。洗浄ノズル２０の使用時は、洗浄ノズル２０は噴射位置Ａ１に位置する。このとき、噴射口２２から水が噴射される。洗浄ノズル２０の噴射口２２の噴射位置は、前後方向に対してそれぞれ距離Ｂ１の間隔で調整可能である。言い換えると、噴射口２２の噴射位置は、前後方向に距離Ｂ２の範囲内で変更可能である。また、噴射口２２の噴射位置は、基準点（洗浄ノズル２０が噴射位置Ａ１に位置するときの噴射口２２の位置）に対して前後方向にそれぞれ２回の移動をすることが可能である。すなわち、噴射口２２の噴射位置は、前後方向に対して５段階の変更が可能である。例えば、距離Ｂ１は１０ｍｍ〜２０ｍｍ（例えば１５ｍｍ）であり、距離Ｂ２は４０ｍｍ〜８０ｍｍ（例えば６０ｍｍ）である。
【００５０】
また、図７に示すように、洗浄ノズル２０の噴射口２２の噴射位置は、左右の方向に調整可能である。洗浄ノズル駆動機構１９は、噴射口２２の噴射位置が左右に変更可能なように洗浄ノズル２０を駆動するように構成されている。洗浄ノズル駆動機構１９は、洗浄ノズル２０の噴射口２２の噴射位置を左右にスライド可能なように洗浄ノズル２０を駆動するように構成されている。具体的には、洗浄ノズル２０の噴射口２２の噴射位置は、左右方向にそれぞれ距離Ｃ１の範囲内で変更可能である。言い換えると、噴射口２２の噴射位置は、左右方向に距離Ｃ２の範囲内で変更可能である。例えば距離Ｃ１は１ｃｍであり、距離Ｃ２は２ｃｍである。
【００５１】
図３に示すように、本体収容部７の上面には、操作部８０が設けられている。操作部８０には、特に限定しないが、例えば、電源ボタン、使用電力を抑える節電ボタン、および電源が自動的に切れるまでの時間を設定するタイマーボタン等が配置されている。また、操作部８０には、洗浄ノズル２０を操作するための噴射開始ボタン、噴射停止ボタン、噴射の強弱調整ボタン、噴射位置調整ボタン、噴出される水の温度を調整する水温調整ボタン、および便座３０の温度調整ボタン等が配置されていてもよい。操作部８０は、制御部１００と電気的に接続されており、上述した各種ボタンを押すことで、洗浄ノズル２０等を操作することができる。
【００５２】
図８は、ポータブルトイレ１Ａの遠隔操作部８１を表す図である。図８に示すように、ポータブルトイレ１Ａは、操作部８０とは別に、使用者が操作しやすいように、本体収容部７から分離された遠隔操作部８１を備えていてもよい。遠隔操作部８１はいわゆるリモートコントローラであり、特に限定しないが、例えば赤外線センサなどの無線通信手段を通じて制御部１００と電気的に接続している。また、遠隔操作部８１は、有線を通じて制御部１００と電気的に接続されていてもよい。遠隔操作部８１の具体的構成は特に限定されないが、例えば、遠隔操作部８１は、使用者が介護者等を呼ぶための呼出ボタン８５、洗浄ノズル駆動機構１９を制御するための噴射停止ボタン８６、噴射開始ボタン８７、噴射位置調整部８８、噴射移動ボタン８９、局部を乾燥させるための乾燥ボタン９０、噴射口２２から噴射される水の勢いを調整する水勢調整部９１、便座温度調整部９２、および水温調整部９３等を備えている。上記各種ボタンを押すことにより、洗浄ノズル２０等を操作することができる。
【００５３】
次に、本実施形態に係るポータブルトイレ１Ａの制御部１００について説明する。図９は、制御部１００のブロック図である。制御部１００は、主としてデジタルコンピュータから構成されており、ポータブルトイレ１Ａの制御装置として機能する。制御部１００は、例えば、読み込み専用の記憶装置であるＲＯＭ、読み書き可能な記憶装置であるＲＡＭ、および任意の演算や判別を行うＣＰＵ等を有している。
【００５４】
図９に示すように、制御部１００は、入力ポート１０１および出力ポート１０２を有している。制御部１００は、操作部８０、遠隔操作部８１、着座センサ１１０、洗浄ノズル駆動機構１９、脱臭ユニット１２０、乾燥ユニット１２２、保温ユニット１２４、および温水器ユニット１２６等と電気的に接続されている。そして、制御部１００は、入力ポート１０１を介して、操作部８０、遠隔操作部８１または着座センサ１１０等から送られた入力信号を受信する。一方、制御部１００は、出力ポート１０２を介して、洗浄ノズル駆動機構１９、脱臭ユニット１２０、乾燥ユニット１２２、保温ユニット１２４、または温水器ユニット１２６等へ出力信号を送信する。
【００５５】
次に、本実施形態に係るポータブルトイレ１Ａの動作について説明する。
図１０は、ポータブルトイレ１Ａにおける洗浄ノズル２０の噴射口２２の噴射位置を模式的に示す図である。
【００５６】
使用者は、局部の洗浄を行う際に、遠隔操作部８１の噴射開始ボタン８７を押す。このとき、遠隔操作部８１からの噴射開始信号が入力ポート１０１を介して制御部１００に送信される。そして、上記信号を受信した制御部１００は、上記噴射開始信号に基づいて、洗浄ノズル駆動機構１９に対して噴射開始制御信号を送信する。上記信号を受信した洗浄ノズル駆動機構１９は、洗浄ノズル２０を噴射位置Ａ１（図６参照）まで駆動させた後（洗浄ノズル２０を前進させた後）、噴射口２２から水を噴射させる。これにより、局部の洗浄が行われる。
【００５７】
使用者は、局部の洗浄を停止する際に、遠隔操作部８１の噴射停止ボタン８６を押す。このとき、遠隔操作部８１からの噴射停止信号が入力ポート１０１を介して制御部１００に送信される。そして、上記信号を受信した制御部１００は、上記噴射停止信号に基づいて、洗浄ノズル駆動機構１９に対して噴射停止制御信号を送信する。上記信号を受信した洗浄ノズル駆動機構１９は、噴射口２２からの水の噴射を停止した後、洗浄ノズル２０を退避位置Ａ２（図６参照）まで駆動させる（洗浄ノズル２０を後退させる）。
【００５８】
初期設定の状態では、噴射時の噴射口２２の位置（噴射口２２が複数ある場合には、それらの平均位置）は、左右方向および前後方向の中央に設定されている。ただし、洗浄ノズル２０は左右方向に移動可能であるので、噴射時の噴射口２２の左右の位置は設定変更が可能である。また、洗浄ノズル２０は前後方向にも移動可能である。そのため、噴射時の噴射口２２の前後の位置も設定変更が可能である。使用者は、遠隔操作部８１等を用いて、噴射時の噴射口２２の位置（以下、噴射位置という）を適宜に設定変更することができる。制御部１００は、設定変更された噴射位置を記憶することができる。そのため使用者は、いったん設定変更を行えば、その後、局部洗浄装置１８を使用する度に噴射位置の変更を行う必要がない。
【００５９】
また、本実施形態に係るポータブルトイレ１Ａは、洗浄ノズル駆動機構１９を介して、水の噴射中に噴射位置を変更することも可能である。例えば、使用者は、局部を洗浄中に噴射位置を右側に変更したいときには、遠隔操作部８１の噴射位置調整部８８における右移動ボタン８８Ｒ（図８参照）を押す。このとき、噴射位置変更信号が制御部１００に対して送信される。そして、制御部１００は、噴射位置変更信号に基づいて、洗浄ノズル駆動機構１９を制御する。洗浄ノズル駆動機構１９は、図１０に示すように、洗浄ノズル２０を右方向へ予め定められた距離Ｃ１’分移動させる。この結果、噴射位置が右側に変更される。このとき、噴射位置などを遠隔操作部８１および操作部８０等に表示させてもよい。同様に、使用者は、噴射位置を左側に変更したいときには、左移動ボタン８８Ｌを押す。その結果、洗浄ノズル２０が左方向に距離Ｃ１’分移動し、噴射位置は左側に変更される。また、使用者は、お尻の局部を洗浄中に噴射位置を前側または後側に移動させたいときも同様に、遠隔操作部８１の噴射位置調整部８８の前移動ボタン８８Ｆまたは後移動ボタン８８Ｒｅを押す。このとき、噴射位置変更信号が制御部１００に対して送信される。そして、制御部１００は、噴射位置変更信号に基づいて、洗浄ノズル駆動機構１９を制御する。洗浄ノズル駆動機構１９は、図１０に示すように、洗浄ノズル２０を前方向または後方向へ予め定められた距離Ｂ１’分移動させる。この結果、噴射位置が前側または後側に変更される。
【００６０】
図１０に示すように、本実施形態では、洗浄ノズル２０の噴射位置は、左右方向に対してそれぞれ距離Ｃ１’の間隔で移動可能であり、前後方向に対してそれぞれ距離Ｂ１’の間隔で移動可能である。また、噴射位置は、基準点Ｐに対して左右方向にそれぞれ１回、前後方向にそれぞれ２回の移動をすることが可能である。また、距離Ｃ１’は、例えば距離Ｃ１（図７参照）に設定し、距離Ｂ１’は、例えば距離Ｂ１（図６参照）に設定することができる。ただし、洗浄ノズル２０の噴射位置の左右方向および前後方向への移動回数は特に限定されない。また、本実施形態では、噴射位置は段階的に変更可能であるが、噴射位置は連続的に変更可能であってもよい。洗浄ノズル２０の移動可能範囲内において、噴射位置は任意に設定可能であってもよい。
【００６１】
以上のように、本実施形態に係るポータブルトイレ１Ａによれば、図３に示すように、便座３０の開口３２は、円弧状の前縁３３と、円弧状の後縁３４と、前縁３３の後端３３ｂと後縁３４の前端３４ｆとをつなぐ直線状の中間縁３５と、によって形成されている。このことにより、使用者が便座３０の不適切な位置に座ると、座骨結節１５０（図５参照）に対する負荷が大きくなり、適切な位置に座る場合に比べて不快となる。そのため、適切な位置に座り直すことが促され、用便前に適切な位置に座り直すことになる。このとき、図５に示すように、便座３０の開口３２内に座骨結節１５０が収まるようにして座ることになる。その結果、用便後に局部洗浄装置１８を用いる際、洗浄に適した位置に局部が位置することになる。したがって、洗浄中に座り直す必要がなく、要介護者等にとって負担なく局部を良好に洗浄できるようになる。
【００６２】
また、図３に示すように、本実施形態によれば、便座３０の開口３２の左右の最大間隔Ｌ１は１８ｃｍ〜２１ｃｍである。使用者が便座３０に座ったとき、使用者の座骨結節１５０と便座３０との位置関係は概ね図５のようになる。通常、座骨結節１５０の幅Ｗは、７ｃｍ〜１４ｃｍである。開口３２の左右の最大間隔Ｌ１を上記範囲内とすることで、座骨結節１５０が開口３２内に収まることができ、座骨結節１５０が適切に開くため排泄が容易となり、かつ、お尻が大きく落ち込むことが防止される。また、お尻が便座３０の左側または右側に偏りにくくなる。便座３０の開口３２の上記形状によって、局部を適切な位置に誘導しやすくなる。
【００６３】
また、図５に示すように、本実施形態によれば、便座３０の開口３２の中間縁３５の両側部分は、便座３０の左右の中央側に行くほど下方に向かうように傾斜している。この傾斜によって、使用者の座る位置を適切な位置（中央の位置）により誘導しやすくなる。
【００６４】
図７に示すように、本実施形態によれば、洗浄ノズル２０の噴射口２２の噴射位置が左右に変更可能である。そのため、使用者が適切な位置から左右に若干ずれた位置に座ったとしても、噴射口２２の噴射位置を左右方向に変更することにより、噴射された水を局部に確実に当てることができ、局部を良好に洗浄することができる。また、個人差により、使用者は適切な位置から左右に若干ずれた位置に座った方が楽な場合もあり得る。そのような場合、噴射位置をその使用者に応じた位置に変更することにより、局部の良好な洗浄が可能となる。
【００６５】
本実施形態によれば、洗浄ノズル駆動機構１９は、洗浄ノズル２０を左右にスライドさせるように構成されている。洗浄ノズル２０の噴射口２２は、左右にスライド可能である。そのため、噴射口２２の噴射位置を左右に変更しても、噴射口２２の前後の位置は変更されない。したがって、噴射位置の設定が容易となる。ただし、洗浄ノズル２０の駆動方法は特に限定されない。例えば、洗浄ノズル２０は、洗浄ノズル２０の後端部を中心として左右に揺動可能に構成されていてもよい。ただし、その場合は、噴射口２２の左右の位置を変更すると、噴射口２２の前後の位置も変化することとなる。
【００６６】
本実施形態では、洗浄ノズル駆動機構１９は、洗浄ノズル２０の噴射口２２の噴射位置が左右方向に２ｃｍ以内の範囲で変更可能なように構成されている。上述した便座３０の開口３２の形状によって、使用者は適切な位置に座るように誘導される。そのため、噴射位置の変更可能範囲を大きくしなくても足りる。その結果、洗浄ノズル駆動機構１９の大型化やコストアップを抑えることができる。また、噴射位置の変更可能範囲を上記範囲内にすることで、洗浄ノズル２０から噴射された水がお尻の左右外側の部分に当たり、噴射された水がお尻の外側に跳ね返って飛び散ることを低減することができる。
【００６７】
また、図６に示すように、本実施形態によれば、洗浄ノズル２０の噴射口２２の噴射位置は、前後に変更可能である。そのため、使用者が適切な位置から前後に若干ずれた位置に座ったとしても、噴射口２２の噴射位置を変更することにより、洗浄ノズル２０から噴射された水を局部に確実に当てることができ、局部を良好に洗浄することができる。また、個人差により、使用者は適切な位置から前後に若干ずれた位置に座った方が楽な場合もあり得る。そのような場合でも、噴射位置をその使用者に応じた位置に変更することにより、局部の良好な洗浄が可能となる。
【００６８】
図１に示すように、本実施形態に係る左右の肘掛け５０および５１の左右の最大間隔は、３８ｃｍ以上５０ｃｍ以下である。左右の肘掛け５０および５１の左右の最大間隔を上記範囲内にすることによって、肘掛け５０および５１に肘を置くことにより、体が中央に位置するように使用者は誘導される。その結果、使用者は適切な位置に座ることを誘導され、洗浄に適した位置に局部が位置しやすくなる。
【００６９】
本実施形態に係るポータブルトイレ１Ａによれば、便座３０の開口３２の後方に背もたれ７０が配置されている。使用者が背もたれ７０にもたれることにより、使用者の前後位置が適切な位置に保たれる。その結果、使用者の座る位置を適切な位置に誘導しやすくなる。
【００７０】
また、便座３０の開口３２の後方に設けられた他の便座４０に、使用者の臀部を支持する凹部４１が形成されている。このことにより、臀部が凹部４１上に位置するように座ることにより、使用者の位置が適切な位置に保たれる。その結果、使用者の座る位置を適切な位置に誘導しやすくなる。
【００７１】
以上、第１実施形態に係るポータブルトイレ１Ａについて説明した。なお、本発明に係るポータブルトイレ１Ａは、本実施形態のポータブルトイレ１Ａに限らず、他に種々の形態で実施することができる。次に、ポータブルトイレの他の実施形態について簡単に説明する。
【００７２】
＜第２実施形態＞
第１実施形態では、洗浄ノズル駆動機構１９は、洗浄ノズル２０を左右にスライドさせることにより、洗浄ノズル２０の噴射口２２の噴射位置を左右に変更可能なように構成されていた。しかし、本発明に係るポータブルトイレは、上記構成に限定されない。下記に示すような第２実施形態の構成のポータブルトイレであってもよい。
【００７３】
次に、第２実施形態について説明する。なお、第１実施形態と同様の構成箇所には同じ符号を付し、その説明は適宜省略する。図１１は、第２実施形態に係るポータブルトイレ１Ｂの便座３０と洗浄ノズル２０との関係を模式的に示した図である。
【００７４】
本実施形態に係る洗浄ノズル２０は、第１実施形態と同様に、便座３０の上方から見て前方に延びるように配置されている。そして、洗浄ノズル駆動機構１９は、洗浄ノズル２０を洗浄ノズル２０の軸心まわりＤに回転させるように構成されている。具体的には、図１１に示すように、洗浄ノズル２０の噴射口２２の噴射位置が、洗浄ノズル２０の軸心まわりＤの左右に、それぞれ所定の角度Ｄ１の範囲内で変更可能である。言い換えると、洗浄ノズル２０の噴射口２２の噴射位置が、洗浄ノズル２０の軸心まわりＤの左右に角度Ｄ２の範囲内で変更可能である。なお、例えば、角度Ｄ１は５度〜１５度であり、角度Ｄ２は１０度〜３０度である。
【００７５】
そして、使用者は、例えば、遠隔操作部８１または操作部８０等に設けられた図示しない噴射角度変更ボタンを通じて、制御部１００に対して噴射角度変更信号を送信する。そして、上記信号を受信した制御部１００は、上記噴射角度変更信号に基づいて、洗浄ノズル駆動機構１９に対して噴射角度制御信号を送信する。上記信号を受信した洗浄ノズル駆動機構１９は、洗浄ノズル２０の角度を変更することで、噴射口２２の噴射角度を変更する。
【００７６】
以上のように、第２実施形態に係るポータブルトイレ１Ｂでは、洗浄ノズル駆動機構１９は、洗浄ノズル２０を洗浄ノズル２０の軸心まわりに回転させるように構成されている。このように、噴射位置を左右に変更する際に、洗浄ノズル２０が洗浄ノズル２０の軸心まわりに回転するのみのため、本実施形態においても、噴射位置を変更する際に噴射口２２の前後の位置は変化しない。したがって、局部に対する噴射位置の調整が容易となる。
【００７７】
＜他の実施形態＞
第１実施形態および第２実施形態では、図３に示すように、便座３０の開口３２は、円弧状の前縁３３と、円弧状の後縁３４と、前縁３３の後端３３ｂと後縁３４の前端３４ｆとをつなぐ直線状の中間縁３５と、によって形成されていた。しかし、本発明に係るポータブルトイレにおける便座３０の開口３２の形状は、上記形状に限定されない。
【００７８】
図１２は、他の実施形態に係る便座３０の平面図である。図１２に示すように、この実施形態の便座３０の開口３２も、前縁３３と後縁３４と中間縁３５とから形成されている。前縁３３および後縁３４の形状は、円弧状である。後縁３４の左右方向の最大間隔は、前縁３３の左右方向の最大間隔より大きい。そして、前縁３３の後端と後縁３４の前端は、中間縁３５によってつながっている。本実施形態では、中間縁３５は、便座３０の左右の中央側に膨出した曲線状に形成されている。なお、前縁３３の曲率半径Ｒ１、後縁３４の曲率半径Ｒ２、開口３２の左右の最大間隔Ｌ１、開口３２の前後方向の長さＬ２、および中間縁３５と前縁３３との合計の前後方向の長さＬ３は、上述した実施形態と同様の寸法である。
【００７９】
この実施形態においても、使用者が便座３０の不適切な位置に座ると、座骨結節１５０に対する負荷が大きくなり、適切な位置に座る場合に比べて不快となる。そのため、適切な位置に座り直すことが促され、用便前に適切な位置に座り直すことになる。よって、洗浄に適した位置に局部が位置することになる。したがって、洗浄中に座り直す必要がなく、要介護者等にとって負担なく局部を良好に洗浄できるようになる。その他についても、前記各実施形態と同様の効果を得ることができる。
【００８０】
なお、前記各実施形態では、便座３０の後方に他の便座４０が設けられ、凹部４１は他の便座４０の前部に形成されていた。しかし、他の便座４０の凹部４１と共に、あるいは他の便座４０の凹部４１に代えて、臀部を支持する凹部を便座３０に形成するようにしてもよい。便座３０と他の便座４０とを一体化してもよい。
この場合にも、上述した実施形態と同様の効果を得ることができる。
【００８１】
上述した各実施形態では、便座３０の左右の外縁は直線状であり、前縁は前方に膨らむ曲線状であった。しかし、便座３０の左右の外縁は曲線状であってもよいし、前縁は直線状であってもよい。
【００８２】
上述した各実施形態では、洗浄ノズル２０は、前斜め下方に延びている。しかし、洗浄ノズル２０は、前向きに水平に延びていてもよい。
【００８３】
上述した各実施形態について、洗浄ノズル駆動機構１９は、連続して洗浄ノズル２０の噴射口２２の噴射位置を変更する機能、いわゆる、連続洗浄機能を有していてもよい。図１３は、洗浄ノズル駆動機構１９の連続洗浄機能の一例を表す図である。図１３の「○」は、洗浄ノズル２０の噴射口２２の左右方向および前後方向の噴射位置を示している。図１３の「→」は、洗浄ノズル２０の噴射口２２の移動方向を示している。例えば、図１３（ａ）に示すように、洗浄ノズル駆動機構１９は、使用者の局部ならびに局部周辺を洗浄するように、噴射口２２の噴射位置を連続的に変更するような機構にしてもよいし、図１３（ｂ）に示すように、局部ならびに局部周辺の一部（例えば、局部の後方の一部）のみを洗浄するように、噴射口２２の噴射位置を連続的に変更するような機構にしてもよい。また、図１３（ｃ）および（ｄ）に示すように、噴射口２２の噴射位置を前後方向に対して連続的に変更するような機構にしてもよい。また、この連続洗浄機能においては、噴射位置の中心位置Ｐより離れる位置ほど、噴射口２２から噴射される水の勢いを弱めるようにしてもよい。
【００８４】
制御部１００は、頻繁に使用する洗浄ノズル２０の噴射位置を記憶し、次回の局部洗浄時には、その頻繁に使用する洗浄ノズル２０の噴射位置から局部の洗浄を開始するような構成にしてもよい。
【符号の説明】
【００８５】
１Ａ、１Ｂ、１Ｃ  ポータブルトイレ
１９  洗浄ノズル駆動機構
２０  洗浄ノズル
２２  噴射口
３０  便座
３２  開口
５０、５１  肘掛け
７０  背もたれ
１００  制御部
【図１】
2014000107.tif 000003
【図２】
2014000107.tif 000004
【図３】
2014000107.tif 000005
【図４】
2014000107.tif 000006
【図５】
2014000107.tif 000007
【図６】
2014000107.tif 000008
【図７】
2014000107.tif 000009
【図８】
2014000107.tif 000010
【図９】
2014000107.tif 000011
【図１０】
2014000107.tif 000012
【図１１】
2014000107.tif 000013
【図１２】
2014000107.tif 000014
【図１３】
2014000107.tif 000015